(57)【要約】      （修正有）【課題】非接触によりデータ読み取りが可能なＩＣチップをより有効に活用することを可能にする。【解決手段】電子辞書端末２５に対して、チップ２４ａから読み取られた文字コードを送信することで、この文字コードが表す文字列についての和英辞書の検索処理の実行を要求できるものとする。チップ埋め込み書籍２４には、用紙に印刷された文字列（例えば、単語、熟語、欄外の注記など）の所定位置にチップ２４ａが埋め込まれており、このチップ２４ａに印刷された文字列の文字コード（列）が記録されている。なお、電子辞書端末２５は、例えば電子辞書として構成された機器であり、情報処理装置との通信が可能な機能が設けられている。【選択図】図１０
2010176687.tif 000002
【特許請求の範囲】
【請求項１】
印刷物に埋め込まれたＩＣチップに近接されることで、前記ＩＣチップに記録されたデータを非接触により読み取るＩＣチップ読み取り手段と、
前記ＩＣチップ読み取り手段によって前記ＩＣチップから読み取られたデータを、他の電子機器に送信するデータ送信手段と、
前記データ送信手段によって送信したデータに対する、前記他の電子機器における処理結果とするデータを受信するデータ受信手段と、
前記受信手段によって受信したデータを出力するデータ手段と
を具備したことを特徴とする情報処理装置。
【請求項２】
複数の書類を綴じるための機構を有するバインダ型の情報処理装置であって、
前記機構によって綴じられた書類に埋め込まれたＩＣチップに記録されたデータを非接触により読み取るＩＣチップ読み取り手段と、
前記ＩＣチップ読み取り手段によって読み取られたデータをもとに、前記機構により綴じられた複数の書類を管理するための書類データを更新する書類データ更新手段と、
前記書類データ更新手段により更新される書類データを格納する書類データ格納手段と
を具備したことを特徴とする情報処理装置。
【請求項３】
前記書類データ格納手段に格納された書類データを他の電子機器に送信する書類データ送信手段をさらに具備したことを特徴とする請求項２記載の情報処理装置。
【請求項４】
前記ＩＣチップ読み取り手段を複数設けて、それぞれに対して前記書類に埋め込まれた複数のＩＣチップに対するデータ読み取り範囲を設定することを特徴とする請求項２記載の情報処理装置。
【請求項５】
印刷用紙に対して印刷するプリンタ装置において、
前記印刷用紙に対して印刷された対象物の位置にＩＣチップを接着するチップ接着手段と、
前記チップ接着手段によって接着されたＩＣチップに対して、前記対象物に関係するデータを書き込むデータ書き込み手段と
を具備したことを特徴とするチップ貼り付けプリンタ装置。
【請求項６】
前記チップ貼り付け手段は、
前記ＩＣチップを含んだシールが台紙上に連続的に配置され、保護フィルムにより覆われたチップシールロール紙が巻回されたチップシールロールと、
前記チップシールロール紙を印刷用紙の搬送路に沿って搬送させる搬送手段と、
前記搬送手段による搬送に伴って、前記保護フィルムを剥離させながら巻き取る保護フィルム剥離巻き取り機構と、
前記保護フィルムが剥離されたチップシールロール紙のＩＣチップを含んだシールを前記印刷用紙に押圧して接着するチップ接着手段と
を具備したことを特徴とする請求項５記載のチップ貼り付けプリンタ装置。
【請求項７】
印刷が施された印刷部材に非接触によりデータの読み取りがされるＩＣチップを複数埋め込み、前記ＩＣチップのそれぞれに、前記ＩＣチップが埋め込まれた位置に印刷された印刷内容と関連するデータと、他のＩＣチップとの関連を示すデータとを記録することを特徴とする印刷物。  
【発明の詳細な説明】
【技術分野】
【０００１】
本発明は、非接触でデータの読み取りが可能なＩＣチップが埋め込まれた印刷物、同印刷物に埋め込まれたチップからデータを読み取る情報処理装置、チップが埋め込まれた印刷物を作成するチップ貼り付けプリンタ装置に関する。
【背景技術】
【０００２】
近年では、非接触でデータの読み取りが可能な電子タグ（ＩＣタグ、ＲＦＩＤ（Radio Frequency Identification）、無線タグ）が、製品（商品）や梱包物の管理などのために使用されている。例えば、製品（商品）に電子タグを貼り付けておき、製品（商品）を通過させる経路近くに、電子タグからデータを読み取ることができる情報処理装置を設置しておくことで、作業者がデータ読取のための特別な作業を行なうことなく、情報処理装置近くを製品（商品）が通過したことを検知することができる。これにより、製品（商品）の出荷管理、在庫管理、販売管理などを自動で行なうことができ、物流、流通業界における作業の効率化が図られている。
【０００３】
こうした電子タグ（ＩＣタグ）を利用して、配送作業の効率化に貢献できるようにする配送票なども考えられている（例えば特許文献１）。特許文献１に記載された配送票では、表面に繰り返し印刷が可能なリライト面を設けたＩＣタグを分離可能に設け、ＩＣタグを接着した状態でプリンタにかけて印刷できるようにしている。ＩＣタグには、伝票番号と同じバーコードが印字され、ＩＣタグのメモリには伝票番号をはじめとする配送情報や配送地域を特定する情報と同一内容の情報などが書き込まれる。そして、この配送票を用いた配送品の配送作業が終了した後、ＩＣタグを剥離し、メモリに入力してあるデータとリライト層に印刷されたバーコードを消去して再度使用可能にしている。
【０００４】
従来では、１つの製品（商品）に対しては１つの電子タグ（ＩＣチップ）が貼り付けられているだけであり、電子タグを貼り付ける製品（商品）や特許文献１に記載された配送票における位置は特に意味を持つものではなかった。
【０００５】
特許文献１の配送票では、配送品に対応する固有のバーコードが１つのＩＣタグに印刷されるので、バーコードとＩＣタグとが１対１に対応しているため、何れの位置に貼り付けられていても良い。
【先行技術文献】
【特許文献】
【０００６】
【特許文献１】特開２００２−２１１１７０号公報
【発明の概要】
【発明が解決しようとする課題】
【０００７】
このように従来では、電子タグ（ＩＣタグ）を製品（商品）や配送票などに付けることで、出荷管理、在庫管理、販売管理などに利用して作業効率の向上を図っている。しかしながら、電子タグ（ＩＣタグ）は、製品（商品）を識別する情報、あるいは特許文献１に記載されたような配送品に関する配送情報や配送地域の情報などが記録されているだけであった。すなわち、従来では印刷によって目視可能としていた製品（商品）自体の単一の情報を電子タグにデータとして記録し、情報処理装置により自動で読み出せるようにしただけであった。
【０００８】
本発明の課題は、非接触によりデータ読み取りが可能なＩＣチップをより有効に活用することが可能な情報処理装置、チップ貼り付けプリンタ装置、印刷物を提供することにある。
【課題を解決するための手段】
【０００９】
請求項１記載の発明は、印刷物に埋め込まれたＩＣチップに近接されることで、前記ＩＣチップに記録されたデータを非接触により読み取るＩＣチップ読み取り手段と、前記ＩＣチップ読み取り手段によって前記ＩＣチップから読み取られたデータを、他の電子機器に送信するデータ送信手段と、前記データ送信手段によって送信したデータに対する、前記他の電子機器における処理結果とするデータを受信するデータ受信手段と、前記受信手段によって受信したデータを出力するデータ手段とを具備したことを特徴とする。
【００１０】
請求項２記載の発明は、複数の書類を綴じるための機構を有するバインダ型の情報処理装置であって、前記機構によって綴じられた書類に埋め込まれたＩＣチップに記録されたデータを非接触により読み取るＩＣチップ読み取り手段と、前記ＩＣチップ読み取り手段によって読み取られたデータをもとに、前記機構により綴じられた複数の書類を管理するための書類データを更新する書類データ更新手段と、前記書類データ更新手段により更新される書類データを格納する書類データ格納手段とを具備したことを特徴とする。
【００１１】
請求項３記載の発明は、請求項２記載の発明において、前記書類データ格納手段に格納された書類データを他の電子機器に送信する書類データ送信手段をさらに具備したことを特徴とする。
【００１２】
請求項４記載の発明は、請求項２記載の発明において、前記ＩＣチップ読み取り手段を複数設けて、それぞれに対して前記書類に埋め込まれた複数のＩＣチップに対するデータ読み取り範囲を設定することを特徴とする。
【００１３】
請求項５記載の発明は、印刷用紙に対して印刷するプリンタ装置において、前記印刷用紙に対して印刷された対象物の位置にＩＣチップを接着するチップ接着手段と、前記チップ接着手段によって接着されたＩＣチップに対して、前記対象物に関係するデータを書き込むデータ書き込み手段とを具備したことを特徴とする。
【００１４】
請求項６記載の発明は、請求項５記載の発明において、前記チップ貼り付け手段は、前記ＩＣチップを含んだシールが台紙上に連続的に配置され、保護フィルムにより覆われたチップシールロール紙が巻回されたチップシールロールと、前記チップシールロール紙を印刷用紙の搬送路に沿って搬送させる搬送手段と、前記搬送手段による搬送に伴って、前記保護フィルムを剥離させながら巻き取る保護フィルム剥離巻き取り機構と、前記保護フィルムが剥離されたチップシールロール紙のＩＣチップを含んだシールを前記印刷用紙に押圧して接着するチップ接着手段とを具備したことを特徴とする。
【００１５】
請求項７記載の発明は、印刷が施された印刷部材に非接触によりデータの読み取りがされるＩＣチップを複数埋め込み、前記ＩＣチップのそれぞれに、前記ＩＣチップが埋め込まれた位置に印刷された印刷内容と関連するデータと、他のＩＣチップとの関連を示すデータとを記録することを特徴とする。
【発明の効果】
【００１６】
請求項１記載の発明は、印刷物に埋め込まれたＩＣチップに記録されたデータを非接触により読み取り、読み取られたデータを他の電子機器に送信して、他の電子機器における処理結果を受信し、受信したデータを出力するので、情報処理装置に辞書データ（データベース）や辞書検索のアプリケーションなどを搭載しておく必要がなく、従って、辞書データを変更する場合であっても、情報処理装置における変更が不要であり、チップ埋め込み印刷物に情報処理装置を近接させて、ＩＣチップからデータを読み取るだけで辞書検索などを実行できるので操作が非常に簡単となる。
【図面の簡単な説明】
【００１７】
【図１】本発明の実施形態（第１〜第５実施形態）における情報処理装置１の構成を示すブロック図。
【図２】第１実施形態における情報処理装置１の使用形態の一例を示す図。
【図３】本実施形態（第１〜第５実施形態）における印刷物に対してチップを埋め込む構造の一例を示す図。
【図４】第１実施形態における情報処理装置１の動作について説明するためのフローチャート。
【図５】第２実施形態における印刷物の具体例とするチップ埋め込み地図２２を示す図。
【図６】第２実施形態における情報処理装置１の動作について説明するためのフローチャート。
【図７】第２実施形態における施設関連情報の表示例を示す図。
【図８】第２実施形態におけるルート案内モードの処理を説明するためのフローチャート。
【図９】第２実施形態のルート案内モードの動作を説明するための図。
【図１０】第２実施形態における印刷物の具体例とするチップ埋め込み書籍２４を示す図。
【図１１】第３実施形態における情報処理装置１と電子辞書端末２５の動作について説明するためのフローチャート。
【図１２】第４実施形態におけるバインダ型情報処理装置３０の外観構成を示す図。
【図１３】第４実施形態におけるバインダ型情報処理装置３０の動作について説明するためのフローチャート。
【図１４】第５実施形態におけるチップ貼り付けプリンタ装置４０の構成を示すブロック図。
【図１５】第５実施形態におけるチップ貼り付けプリンタ装置４０における印刷物（印刷）の搬送系を搬送方向と垂直な方向から見た構成を示す図。
【図１６】第５実施形態におけるチップシールロール５１ｂに巻回されたチップロール紙６０の構成を断面によって示す図。
【図１７】第５実施形態におけるチップ貼り付けプリンタ装置４０の動作について説明するためのチップ接着モジュール５１の周辺拡大図。
【図１８】第５実施形態におけるチップ貼り付けプリンタ装置４０により印刷が施される印刷物の具体例とするチップ埋め込み服薬指導書７０を示す図。
【発明を実施するための形態】
【００１８】
以下、図面を参照して本発明の実施の形態について説明する。
【００１９】
図１は、本実施形態（第１〜第５実施形態）における情報処理装置１の構成を示すブロック図である。本実施形態における情報処理装置１は、印刷物（回路図、地図、書籍、薬袋、書類など）に埋め込まれた複数の電子タグ（ＲＦＩＤ、ＩＣタグ、無線タグ）（以下、単にチップと略称する）からデータを読み取り、このデータをもとに利用者に対して有効な情報を出力するための機能が設けられている。
【００２０】
図１に示すように、本実施形態における情報処理装置１は、ＣＰＵ（Central Processing Unit）１０、入力部１２、表示部１３、タッチパネル１４、通信制御部１５、ＲＡＭ（random access memory）１６、記録装置１７、チップ読取部１８、及び音声出力部１９が設けられている。
【００２１】
ＣＰＵ１０は、記録装置１７に記録されているシステムプログラムを含む各種のプログラムを読み出してＲＡＭ１６に展開し、このＲＡＭ１６に記録されたプログラムに基づいて各部を制御して各種機能を実現する。例えば、ＣＰＵ１０は、チップ読み取り処理プログラムにより、印刷物に埋め込まれた複数のチップからデータを読み取り、このデータをもとに所定の形式の情報を生成して出力させるチップ読み取り処理を実行することができる。
【００２２】
入力部１２は、各種データの入力や装置に対するユーザからの指示を入力するために用いられるもので、例えば複数のボタンが設けられる。情報処理装置１がどのような形態によって構成されるかによるが、例えば図２に示すような携帯型（腕時計型）に構成される場合には数個のボタンが設けられる。また、情報処理装置１がＰＤＡ（personal digital assistant）などの例えば手のひらサイズ以上の大きさで構成される場合には、数字、仮名、各種記号等の文字を入力するための文字ボタンの他、上下左右方向を指示するためのカーソルボタン、選択実行等を指示するためのボタン、特定の機能が割り当てられる機能ボタンなどを設けることができる。
【００２３】
表示部１３は、ＣＰＵ１０の制御に従って各種処理に伴う画像を表示するもので、例えば液晶ディスプレイが用いられる。情報処理装置１によりチップ読み取り処理を実行する場合には、チップから読み取ったデータをもとにして生成された、印刷物に印刷された内容に関する各種の情報が、文字あるいは画像（動画、静止画がなど）によって表示される。
【００２４】
タッチパネル１４は、指先あるいはペン先などにより押圧されることで座標データを入力するもので、表示部１３の表示面と一体に形成されている。タッチパネル１４から表示部１３において表示されるボタンなどの位置の座標データを入力することで、各種データや装置に対する指示を入力することができる。
【００２５】
通信制御部１５は、例えばＢｌｕｅｔｏｏｔｈ（登録商標）などによってＣＰＵ１０の制御のもとで近距離無線通信を実行するもので、例えばパーソナルコンピュータや電子辞書端末、ＰＤＡ、携帯電話機などとの間で無線通信を実行してデータの送受信を行なう。
【００２６】
ＲＡＭ１６は、プログラムやデータなどを記録するもので、ＣＰＵ１０によりアクセスされる。ＲＡＭ１６には、通信制御部１５を介して送受信されるデータ、チップ読取部１８によって印刷物に埋め込まれたチップ（ＩＣタグ）から読み取られたデータ、さらにはチップから読み取られたデータをもとに生成される出力対象とするデータ等が記録される。
【００２７】
記録装置１７は、システムプログラムやチップ読み取り処理プログラムなどの各種プログラム、各種データなどが記録されており、必要に応じてＣＰＵ１０により読み出されてＲＡＭ１６に展開される。
【００２８】
チップ読取部１８（ＩＣタグリーダ）は、印刷物に近接されることで、印刷物に埋め込まれたチップから非接触によりデータを読み取る。
【００２９】
音声出力部１９は、例えば印刷物から読み取ったデータをもとに生成された出力対象とする情報を、音声によって図示せぬスピーカから出力する。
【００３０】
（第１実施形態）
図２は、第１実施形態における情報処理装置１の使用形態の一例を示す図である。第１実施形態における情報処理装置１は、携帯が容易となるように腕時計型に構成されている例を用いて説明する。なお、情報処理装置１は、腕時計型に限るものではなく、パーソナルコンピュータやＰＤＡ、携帯電話機などの他の形態により構成することも可能である。
【００３１】
図２に示す情報処理装置１は、装置筐体本体の上面部に表示部１３（液晶ディスプレイ）とタッチパネル１４とが設けられており、腕（手首）に装着された際に表示内容の確認や入力操作を容易にできるようになっている。また、チップ読取部１８は、情報処理装置１を腕に装着した場合に、装置筐体本体と腕を介して反対側に位置するように設けられている。すなわち、図２に示すように、装置筐体本体を手の甲側にして表示面が上となるように装着した場合に、手のひら側にチップ読取部１８が位置するように設けられる。これにより、チップ読取部１８を印刷物に近接させて、印刷物に埋め込まれたチップからデータを読み込ませながら、この読み取られたデータをもとにした情報を表示させて内容を確認することができる。
【００３２】
第１実施形態では、図２に示すように、印刷物としてチップ埋め込み回路図２０を対象としている。チップ埋め込み回路図２０は、例えば電子装置（機器）に対してメンテナンス作業をする場合に利用されるもので、電子回路図（設計図）中のメンテナンスポイント（メンテナンス作業の対象となる位置）に、このポイントにおけるメンテナンス作業を補助するためのデータが記録されたチップ（電子タグ）２０ａが埋め込まれている。チップ２０ａは、回路図（設計図）中に設定された複数箇所のメンテナンスポイント、すなわち印刷された回路（対象物）と対応づけたそれぞれの位置に埋め込まれている。なお、図２においては、チップ２０ａを黒四角マークにより表しているが、チップ埋め込み回路図２０に埋め込まれているチップ２０ａが直接視認できる必要はなく、メンテナンスポイントであることを示す印刷、すなわちチップ２０ａが埋め込まれていることを示す印刷がされているだけでも良い。
【００３３】
図３（ａ）（ｂ）（ｃ）には、印刷物（チップ埋め込み回路図２０）に対してチップを埋め込む構造の一例を示している。
【００３４】
図３（ａ）は、用紙（紙媒体）中にチップ２０ａが埋め込まれた例を示している。チップ２０ａ（電子タグ）は、数ミリ角程度で紙媒体よりも薄い極小サイズに構成することができるため、用紙２０ｂを生成する場合に予め所定の位置に埋め込んでおく。用紙２０ｂはプリンタ装置などにより印刷されることにより、その上面部に印刷層２０ｃが形成される。
【００３５】
図３（ｂ）は、用紙２０ｂの上面部にチップ２０ａが埋め込まれた（貼り付けられた）例を示している。チップ２０ａは、例えば用紙２０ｂの表面に印刷（インキに混ぜて塗布する）、あるいはプリンタ装置によって用紙２０ｂに対する印刷と同時に貼り付けられる。
【００３６】
図３（ｃ）は、用紙２０ｂの下面部にチップ２０ａが埋め込まれた（貼り付けられた）例を示している。図３（ｃ）に示すように、チップ２０ａを用紙２０ｂの下面部に貼り付けることで、用紙２０ｂの印刷面が均一な状態とすることができる、印刷により安定して印刷層２０ｃを形成することができる。
【００３７】
なお、図３（ｃ）に示す印刷物は、後述する第５実施形態に示すチップ貼り付けプリンタ装置４０により、印刷用紙にチップ２０ａを貼り付けながら印刷を施すことにより作成することができる。
【００３８】
次に、第１実施形態における情報処理装置１の動作について、図４に示すフローチャートを参照しながら説明する。 
ここでは、図２に示すチップ埋め込み回路図２０を参照しながら、回路基板に実装された回路についてメンテナンス作業を行なう場合を想定する。
【００３９】
まず、作業者は、情報処理装置１を起動して、チップ埋め込み回路図２０に埋め込まれたチップ２０ａのデータ読み取りが可能な状態にし、情報処理装置１をチップ埋め込み回路図２０の表面、すなわち回路図中のメンテナンスポイントとする回路部分に近接させる。
【００４０】
これにより、情報処理装置１のチップ読取部１８は、電波照射による電磁誘導によって、チップ埋め込み回路図２０に印刷されたメンテナンスポイントとする回路部分に埋め込まれたチップ２０ａに記録されたデータを読み取る（ステップＡ１）。
【００４１】
ＣＰＵ１０は、チップ読取部１８によりチップ２０ａから読み取られたデータをＲＡＭ１６に格納しておく（ステップＡ２）。
【００４２】
ここで、チップ読取部１８により複数のチップ２０ａからデータの読取が可能な場合、読み取り可能なすべてのチップ２０ａからデータの読み取りを実行し、それぞれのチップ２０ａから読み取られたデータを格納しておく（ステップＡ１〜Ａ３）。
【００４３】
ここで、読み取り可能な全てのチップ２０ａについて読み取りが完了すると（ステップＡ３、Ｙｅｓ）、ＣＰＵ１０は、複数のチップ２０ａからデータが読み取られている場合には（ステップＡ４、Ｙｅｓ）、それぞれのチップ２０ａから読み取られたデータをもとにした概要を表示部１３において表示させる（ステップＡ５）。
【００４４】
例えば、メンテナンスポイントとする複数の回路がチップ埋め込み回路図２０中で近接している場合には、それぞれのポイントに対応して埋め込まれた複数のチップ２０ａからデータが読み取られる。こうした場合、例えばそれぞれのメンテナンスポイントの位置と回路名とを概要として一覧表示させる（出力手段に相当）。
【００４５】
ここで、タッチパネル１４あるいは入力部１２に対する操作によって、複数のチップ２０ａのそれぞれに対応する概要の何れかが選択されると、ＣＰＵ１０は、この選択された概要に対応するチップ２０ａから読み取ったデータに応じた情報を出力する（ステップＡ７（表示手段に相当））。
【００４６】
例えば、図２においては、表示部１３にメンテナンス作業に関する情報が表示された例を示している。図２に示す表示例では、メンテナンス位置と、メンテナンス対象とする回路名、さらにはメンテナンス作業の詳細な内容について記述されている。メンテナンス作業の詳細では、部品の型名、作業内容、作業方法などが含まれている。
【００４７】
なお、図２示すように文字による表示だけでなく、画像（静止画像、動画像）を表示させたり、音声出力部１９から音声によって情報を出力することもできる。例えば、設計図の詳細（拡大図）を表示させたり、メンテナンス作業の手順を動画像で表示させたり、あるいはメンテナンス作業の段階ごとに操作内容を音声出力させるといったことができる。
【００４８】
こうして、チップ埋め込み回路図２０に埋め込まれたチップ２０ａから読み取ったデータをもとに、印刷された回路図中のメンテナンスポイントにおける作業に必要な情報を簡単に出力させることができる。
【００４９】
ここで、先の表示された複数のチップ２０ａに対応する概要の一覧を表示し、前述と同様にして何れかを任意に選択させて、チップ２０ａから読み取ったデータに応じた情報を出力することができる。
【００５０】
また、別のメンテナンスポイントにおけるチップ２０ａの読み取りが実行された場合（ステップＡ１）、前述と同様の処理を実行する（ステップＡ１〜Ａ７）。
【００５１】
なお、作業者は、情報処理装置１により出力された情報を参照してメンテナンスポイントにおける作業を終了した場合、その旨を入力部１２から入力しておく。ＣＰＵ１０は、入力部１２から入力された作業終了の入力に応じて、チップ２０ａから読み取ったデータと対応づけて作業完了データとして記録しておく。ここで記録された作業完了データは、後述する作業終了確認報告として通知する。
【００５２】
ここで、メンテナンス作業の終了が作業者によって入力された場合（ステップＡ８、Ｙｅｓ）、ＣＰＵ１０は、チップ埋め込み回路図２０において設定されているメンテナンス作業が完了したか、すなわちチップ埋め込み回路図２０に埋め込まれた全てのチップ２０ａについての読み取りが完了したかを確認する（ステップＡ９）。
【００５３】
全てのチップ２０ａについての読み取り完了は、例えば何れか一つのチップ２０ａから読み取ったデータ（例えばメンテナンス位置を示すデータなど）から何れの種類のチップ埋め込み回路図２０をメンテナンス作業に利用されているかを判別し、このチップ埋め込み回路図２０に埋め込まれたチップ２０ａの数分の読み取りが完了しているかによって確認することができる。チップ埋め込み回路図２０に埋め込まれたチップ２０ａの数については予め情報処理装置１の記録装置１７に記録しておいても良いし、各チップ２０ａに記録されていても良い。この場合、ステップＡ１において新たにデータを読み取ったチップ２０ａの数を計数しておき、この数を用いて読み取り完了を確認する。また、チップ２０ａに対する読み取り順序が決められている場合には、最後に設定されているチップ２０ａについての読み取りをした場合に、読み取り完了と判別することもできる。
【００５４】
ここで、ＣＰＵ１０は、予め設定されている送信先、例えばメンテナンス作業を管理しているセンター装置（メンテナンス作業者を派遣している本部などに設置されている）に、通信によって自動で作業終了確認報告を送信する（ステップＡ１０）。作業終了確認報告には、メンテナンスポイント（チップ２０ａ）ごとの作業完了データデータが含まれている。作業終了確認報告は、例えば電子メールやその他の通知方法により送信されるものとする。
【００５５】
情報処理装置１は、作業終了確認報告に対するセンター装置から応答を受信する。ＣＰＵ１０は、センター装置からの応答が全てのチップ２０ａについて読み取りが完了していることを示す場合には処理を終了する。
【００５６】
一方、作業終了確認報告から全てのチップ２０ａについて読み取りが完了していないことがセンター装置から応答された場合、すなわち全てのメンテナンスポイントについての作業が終了していない場合、あるいは予め決められたメンテナンスポイント以外の追加メンテナンスポイントがセンター装置から通知された場合には、ＣＰＵ１０は、読み取りが完了していないことを表す確認指示を出力して作業者に通知する（ステップＡ１２）。作業者は、センター装置からの通知に応じたメンテナンス作業を実行して作業を終了する。
【００５７】
なお、前述した説明では、作業終了確認報告を送信することで、全てのチップ２０ａについて読み取りが完了しているか確認されるとしているが、情報処理装置１において確認し、読取が完了していないアクセスポイント（チップ２０ａ）を判別して作業者に提示するようにしても良い。
【００５８】
このようにして、機器のメンテナンス作業などを行なう場合に、作業対象とする機器に対応するチップ埋め込み回路図２０を用い、回路図中のメンテナンスポイントに埋め込まれたチップ２０ａからデータを読出して、そのメンテナンスポイントに対するメンテナンス作業に有効な情報を出力させることができる。
【００５９】
作業者は、例えば腕に装着した情報処理装置１をチップ埋め込み回路図２０に近接させるだけで、メンテナンス作業に必要な情報を出力させることができるので、メンテナンス作業の効率化を図ることができる。
【００６０】
なお、チップ埋め込み回路図２０に埋め込まれたチップ２０ａから読み取ったデータをもとに情報を出力するとしているが、チップ２０ａに出力対象とするデータそのものを記録することができる場合には、このデータを表示あるいは音声により出力すれば良い。
【００６１】
また、チップ２０ａには、メンテナンスポイントを示すデータ（例えば、メンテナンス位置（コードや数字などで表す）、チップ埋め込み回路図２０上の位置（ＸＹ座標）など）のみを記録しておき、このデータに対応する出力対象とするデータについては予め情報処理装置１（記録装置１７）に記録されているようにしても良い。ＣＰＵ１０は、チップ２０ａから読み取られたデータに対応する情報を記録装置１７から検索し、該当する情報を表示または音声によって出力する。この場合、より多くの情報を作業者に対して提供することができ、また情報の内容（メンテナンス作業内容や手順など）が変更された場合でも、記録装置１７に記録されている情報の変更だけで対応することができ、チップ埋め込み回路図２０に対する変更を不要とすることができる。
【００６２】
さらに、チップ埋め込み回路図２０に埋め込まれた複数のチップ２０ａに記録されたデータを相互に関連づけておくこともできる。例えば、予め決められたメンテナンス作業の手順に応じて、複数のチップ２０ａについての読み取り順序を決めておき、各チップ２０ａにはその順序の前後のチップ２０ａを示すデータを記録しておく。これにより、あるチップ２０ａから読み取ったデータをもとに、次に読み取るべきチップ２０ａ（メンテナンスポイント、あるいは回路名など）を出力して、作業者にメンテナンス作業の手順を示すことができる。
【００６３】
（第２実施形態）
次に、第２実施形態について説明する。第２実施形態では、図５に示すように、印刷物としてチップ埋め込み地図２２を対象としている。
【００６４】
チップ埋め込み地図２２は、地図中の要所となるそれぞれの位置に、その要所に関わるデータが記録されたチップ（電子タグ）２２ａ，２２ｂが埋め込まれている。地図中の要所（対象物）としては、地図情報である道路（交差、分岐、合流地点など）、重要な施設（公的施設、建築物）、記念物、観光ポイント、観光施設などがある。チップ２２ａ，２２ｂには、これら地図に印刷された要所についての住所、関連地へのアクセス方法、観光案内、画像、歴史などのデータの他、他のチップ２２ａ，２２ｂに記録されたデータとの関連を示すデータ（例えば、ルート案内を作成するための要所間の経路データなど）が記録されている。また、チップ２２ａ，２２ｂには、要所に関する文字データの他、画像（静止画、動画）、音声などのデータを記録しておくことができる。
【００６５】
図５においては、地図の要所となる箇所（施設／建築物など）にチップ２２ａが埋め込まれ、地図上の要所となる道路（交差点、分岐など）にチップ２２ｂが埋め込まれている例を示している。図５では、チップ２２ａを黒四角マーク、チップ２２ｂを白四角マークにより表しているが、チップ埋め込み回路図２０に埋め込まれているチップ２２，２２ｂが直接視認できる必要はない。
【００６６】
次に、第２実施形態における情報処理装置１の動作について、図６に示すフローチャートを参照しながら説明する。
まず、利用者は、情報処理装置１を起動して、モード選択入力が可能な状態にする。第２実施形態の情報処理装置１では、例えばチップ埋め込み地図２２から読み取ったデータをもとに、チップ２２ａ，２２ｂが埋め込まれた位置に関する情報を出力する情報出力モードと、読み取ったデータをもとにルート案内を出力するルート案内モードの設定が可能である。
【００６７】
ＣＰＵ１０は、モード選択用の画面を表示部１３において表示させ、情報出力モードとルート案内モードの何れかのモードを選択する指示を、タッチパネル１４あるいは入力部１２から入力する（ステップＢ１）。
【００６８】
また、情報出力モードが選択された場合には、チップ埋め込み地図２２のチップ２２ａから読み取られるデータをもとにして施設関連情報を出力するか、チップ２２ｂから読み取られるデータをもとにして道路関連情報を出力するかを選択できるものとする。さらに、情報の出力形態として、文字表示、画像表示、音声出力などについても選択できるものとする。
【００６９】
以下、情報出力モードが選択された場合について説明する（ステップＢ２、Ｙｅｓ）。
まず、ＣＰＵ１０は、チップ埋め込み地図２２に埋め込まれたチップ２２ａ，２２ｂのデータ読み取りが可能な状態にし、情報処理装置１をチップ埋め込み地図２２の表面、すなわち地図中の情報を必要とする施設や道路が印刷されている位置に近接させる。
【００７０】
これにより、情報処理装置１のチップ読取部１８は、電波照射による電磁誘導によって、チップ埋め込み地図２２に印刷された施設や道路に埋め込まれたチップ２２ａ，２２ｂに記録されたデータを読み取る（ステップＢ１）。
【００７１】
ＣＰＵ１０は、チップ読取部１８によりチップ２２ａ，２２ｂから読み取られたデータを、モード選択において指定された情報、すなわち施設関連情報と道路関連情報の何れかを選択してＲＡＭ１６に格納しておく（ステップＢ２）。
【００７２】
ここで、チップ読取部１８により複数のチップ２２ａ，２２ｂからデータの読取が可能な場合、読み取り可能なすべてのチップ２２ａ，２２ｂからデータの読み取りを実行し、それぞれのチップ２２ａ，２２ｂから読み取られたデータを格納しておく（ステップＢ３〜Ｂ５）。
【００７３】
ここで、読み取り可能な全てのチップ２２ａ，２２ｂについて読み取りが完了すると（ステップＢ５、Ｙｅｓ）、ＣＰＵ１０は、複数のチップ２２ａ，２２ｂからデータが読み取られている場合には（ステップＢ６、Ｙｅｓ）、それぞれのチップ２２ａ，２２ｂから読み取られたデータをもとにした概要を表示部１３において表示させる（ステップＢ７）。
【００７４】
例えば、チップ埋め込み地図２２中で要所が近接している場合には、それぞれの要所に対応して埋め込まれた複数のチップ２２ａ，２２ｂからデータが読み取られる。こうした場合、例えばそれぞれの要所の要所名を概要として一覧表示させる。
【００７５】
図７には、施設関連情報の表示例を示している。図７（ａ）では、例えばチップ埋め込み地図２２の「○○寺」の位置に埋め込まれたチップ２２ａを読み取る操作をした場合に、その周辺の「○×寺」「×○寺」の位置に埋め込まれたチップ２２ａからもデータが読み込まれたために、「○○寺」「○×寺」「×○寺」が一覧表示されている。
【００７６】
ここで、タッチパネル１４あるいは入力部１２に対する操作によって、複数の要所名の一覧から何れかが選択されると（ステップＢ８）、ＣＰＵ１０は、この選択された要所名に対応するチップ２２ａ，２２ｂから読み取ったデータに応じた情報を出力する（ステップＢ９）。
【００７７】
例えば、図７（ａ）においては、「○○寺」が選択されることにより、チップ２２ａから読み込んだデータに基づく「○○寺」に関する情報（例えばルート説明）が表示された例を示している。ここでは、スクロールバーに対する操作によって、情報のスクロール表示をさせることができる。
【００７８】
なお、情報の出力形態として画像が選択されている場合には、例えば図７（ｂ）に示すように、要所の周辺の拡大地図などを表示させることもできる。
【００７９】
こうして、チップ埋め込み地図２２に埋め込まれたチップ２２ａ，２２ｂから読み取ったデータをもとに、印刷された要所における情報を簡単に出力させることができる。
【００８０】
ここで、先の表示された複数のチップ２２ａ，２２ｂに対応する概要（要所名）の一覧を表示し、前述と同様にして何れかを任意に選択させて、チップ２２ａ，２２ｂから読み取ったデータに応じた情報を出力することができる。
【００８１】
また、施設関連情報の出力が選択されている場合（ステップＢ１０）、ＣＰＵ１０は、入力部１２あるいはタッチパネル１４に対する入力操作によって、当該施設への通信による接続の要求を受け付けることができる。ここで、接続要求が入力された場合（ステップＢ１１、Ｙｅｓ）、ＣＰＵ１０は、チップ２２ａから読み取ったデータをもとに、施設に関連する例えばホームページへのアクセス、当該施設宛の電子メールの送信、あるいは音声通話ができるように回線接続するなどの処理を実行する。この場合、チップ２２ａには、接続先を示すアドレス（接続先データ）、例えばＵＲＬ（uniform resource locator）や電子メールアドレスなどが記録されていることになる。
【００８２】
こうして、チップ埋め込み地図２２に埋め込まれたチップ２２ａ，２２ｂからデータを読み取ることで、チップ埋め込み地図２２に記録された要所における施設などの情報をホームページなどから取得したり、電子メールなどによる問い合わせ、あるいは電話を掛けるといったことができる。例えば、観光案内の地図（あるいはパンフレットなど）に埋め込まれたチップから読み取られた情報をもとに、観光地の宿泊施設へ直接接続し、空き部屋確認や予約などを円滑に行なうことができる。
【００８３】
ここで、処理が終了されず（ステップＢ１３）、別の要所におけるチップ２２ａ，２２ｂの読み取りが実行された場合、前述と同様の処理を実行する（ステップＢ１〜Ｂ１２）。
【００８４】
なお、前述した説明では、読み取り可能なチップ２２ａ，２２ｂの全てからデータを読み取った後に、モード選択において指定された情報を選択して記録するとしているが、チップ２２ａ，２２ｂからデータを読み取る際に、モード選択において指定された情報に該当するデータのみを読み出すようにしても良い。
【００８５】
例えば施設関連情報の出力が設定されている場合には、チップ２２ａからのもデータを読み取り、また情報の出力形態として画像表示のみが選択されている場合には、画像に関するデータのみを読み出して文字と音声に関するデータについては読み出さないようにしても良い。
【００８６】
次に、モード選択において、ルート案内モードが選択された場合について説明する（ステップＢ２、Ｎｏ）。
【００８７】
まず、ルート案内モードか選択されると、ＣＰＵ１０は、チップ埋め込み地図２２上においてスタート位置から目的地までの経路にあるチップからのデータ読み取りの実行を指示するための出力（表示、音声）を行なう（ステップＢ１４）。すなわち、利用者により、情報処理装置１をチップ埋め込み地図２２に近接させた状態で、スタート位置から通行しようとする経路に合わせて目的地まで移動させなから、チップ埋め込み地図２２に埋め込まれたチップ２２ａ，２２ｂからのデータ読み取りを実行させる。
【００８８】
そのために、チップ２２ａ，２２ｂからのデータ読み取り開始がタッチパネル１４あるいは入力部１２から指示されると（ステップＢ１５）、ＣＰＵ１０は、チップ読取部１８によってデータの読み取りを開始させ、チップ読取部１８によりチップ２２ａ，２２ｂから読み取られたデータをＲＡＭ１６に格納していく（ステップＢ１６，Ｂ１７）。
【００８９】
ＣＰＵ１０は、入力部１２あるいはタッチパネル１４から読み取り終了が指示されるまで、目的地までの経路上の各チップ２２ａ，２２ｂからデータ読み取りを実行し、順次、ＲＡＭ１６に読み取ったデータを格納していく。
【００９０】
ＣＰＵ１０は、読み取り終了が入力されると、すなわち目的地までの経路上の各チップ２２ａ，２２ｂからデータ読み取りが終了すると（ステップＢ１８、Ｎｏ）、ＲＡＭ１６に格納されたスタート位置から目的地までのチップ２２ａ，２２ｂから読み取ったデータをもとに、ルート案内を出力するためのルート案内データ（出力データ）を作成する（ステップＢ１９）。
【００９１】
ここで、チップ埋め込み地図２２の各要所に埋め込まれたチップ２２ａ，２２ｂには、周辺の要所との間の経路に関するデータ、例えば経路上のある要所から次の要所までに通行可能な道路、経路の目印とする目標物、距離、所用時間、要所から経路方向（進行方向）への風景画像などのデータが記録されている。従って、ＣＰＵ１０は、複数のチップ２２ａ，２２ｂから連続してデータを読み取ることで、利用者が意図する目的地までのルートを作成し、利用者からの要求に応じて経路に関する情報を提供することができる。
【００９２】
ＣＰＵ１０は、ルート案内データの作成が完了すると、このデータに応じてルート案内を出力する（文字、画像、音声など）。ルート案内データは、例えば各要所における経路上の次の要所までの経路に関する情報を段階的に出力できるように作成されており、入力部１２あるいはタッチパネル１４から入力され情報更新の指示に応じて、各段階（次の要所まで）の情報を順次出力する（ステップＢ２０，Ｂ２１、Ｙｅｓ（段階情報出力手段））。
【００９３】
従って、利用者は、ある要所に到達した時点で情報更新の指示を入力することで、次の要所までの経路の情報、例えば経路の目印とする目標物、次の要所までの距離、所用時間、要所から経路方向（進行方向）への風景画像など、地図からは取得されない、より詳細な情報を出力させ、これらの情報をもとに進むことができる。こうして、情報処理装置１から順次出力されるルート案内の情報を参考にして目的地に到達することができる。
【００９４】
ＣＰＵ１０は、終了が指示されると、処理を終了する（ステップＢ２２、Ｙｅｓ）。
【００９５】
このようにして、チップ埋め込み地図２２に印刷されたスタート地点から目的地までの経路上の要所に埋め込まれたチップ２２ａ，２２ｂを辿るようにしてデータを読み取るだけで、複数のチップ２２ａ，２２ｂから読み取ったデータをもとに目的地までのルート案内を出力させることができる。すなわち、取り扱いが容易なチップ埋め込み地図２２と情報処理装置１とにより、簡易的なナビゲーションシステムを構成することができる。
【００９６】
なお、前述したルート案内モードの処理では、予めスタート位置から目的地までの経路上に埋め込まれた複数のチップ２２ａ，２２ｂからデータの読み取りを一括して行なうものとして説明しているが、逐次、データの読み取りの対象とするチップ２２ａ，２２ｂを指示するようにしても良い。
【００９７】
この場合のルート案内モードの処理を図８のフローチャートを示している。図８は、図６に示すフローチャートのステップＢ１４〜Ｂ２２の処理に相当する。
【００９８】
まず、ルート案内モードか選択されると、ＣＰＵ１０は、チップ埋め込み地図２２上のスタート位置と目的地に埋め込まれたチップからのデータ読み取りの実行を指示するための出力（表示、音声）を行なう（ステップＣ１）。
【００９９】
ＣＰＵ１０は、例えばタッチパネル１４あるいは入力部１２からデータ読み取りの実行指示が入力されると、その時点でチップ読取部１８によってチップ２２ａ，２２ｂからのデータの読み取りを実行させ、この読み取られたデータをＲＡＭ１６に格納していく（ステップＣ２）。従って、チップ読取部１８をスタート地点と目的地のそれぞれの要所に近接させた状態で読み取り実行を指示することで、スタート位置と目的地の要所に埋め込まれたチップ２２ａ，２２ｂからデータを読み取ることができる。
【０１００】
ＣＰＵ１０は、スタート位置と目的地に埋め込まれたチップ２２ａ，２２ｂから読み取られたデータをもとに、スタート位置の次に読み取るべきチップ２２ａ，２２ｂの地図上の場所を判別する（ステップＣ３）。
【０１０１】
ここで、チップ埋め込み地図２２の各要所に埋め込まれたチップ２２ａ，２２ｂには、周辺の要所との位置関係を示すデータ、例えば東西南北方向に位置するチップ２２ａ，２２ｂが埋め込まれた要所が何れであるかを示すデータが記録されている。従って、ＣＰＵ１０は、スタート位置を基準として目的地が何れの方向にあるかに応じて、次に読み取るべき地図上の場所を判別することができる。なお、複数の要所が候補として判別される場合には、複数の要所を表示させて、利用者に選択させるようにしても良い。
【０１０２】
ここで、次に読み取るべきチップ２２ａ，２２ｂが目的地に該当しなければ（ステップＣ４、Ｎｏ）、ＣＰＵ１０は、ステップＣ３で判別された、次にデータを読み取るべきチップ２２ａ，２２ｂが埋め込まれた要所の場所を利用者に通知するための出力を行なう（ステップＣ５）。
【０１０３】
例えば、図９（ａ）に示す地図において、スタート位置として駅、目的地としてある施設の位置に埋め込まれたチップ２２ａからそれぞれデータが読み取られているものとする。この場合、スタート位置の駅を基準として、次の読み取るべき地図上の場所として、駅より南方向に位置するガソリンスタンドが判別される（目的地が駅より南側に位置する）。従って、ＣＰＵ１０は、例えば図９（ｂ）に示すように、駅の南方向に位置するガソリンスタンドの位置に埋め込まれたチップ２２ａからのデータ読み取りを利用者に促すメッセージを表示させる。
【０１０４】
ここで、メッセージに応じてチップ埋め込み地図２２のガソリンスタンドの位置に埋め込まれたチップ２２ａからデータが読み取られると（ステップＣ６）、ＣＰＵ１０は、このデータをＲＡＭ１６に格納する（ステップＣ７）。
【０１０５】
そして、ＣＰＵ１０は、チップ２２ａから読み取ったデータに応じたルート案内（情報）を出力する（ステップＣ８）。例えば、図９（ｃ）には、データが読み取られたチップ２２ａが位置するガソリンスタンドから目的地方向の拡大地図をルート案内として表示した例を示している。なお、ルート案内の形態については、文字や音声による説明、画像表示など、各種の形態を用いることができる。
【０１０６】
ＣＰＵ１０は、チップ２２ａから読み取られたデータをもとに、前述と同様にして、次に読み取るべきチップ２２ａ，２２ｂの地図上の場所を判別し、前述と同様の処理を目的地に到達するまで繰り返し実行する（ステップＣ３〜Ｃ８（）読取情報出力手段に相当）。
【０１０７】
このようにして、チップ埋め込み地図２２の要所に埋め込まれたチップ２２ａ，２２ｂに記録されたデータを、スタート地点から目的地まで逐次的に読み出し、このデータをもとにルート案内を出力することができる。
【０１０８】
なお、チップ２２ａ，２２ｂには、地図上の要所を示すデータ（例えばコードや数字、緯度／経度など）のみを記録しておき、このデータに対応する出力対象とするデータについては予め情報処理装置１（記録装置１７）に記録されているようにしても良い。ＣＰＵ１０は、チップ２２ａ，２２ｂから読み取られたデータに対応する情報を記録装置１７から検索し、該当する情報を表示または音声によって出力する。この場合、より多くの情報を利用者に対して提供することができ、また情報の内容が変更された場合でも、記録装置１７に記録されている情報の変更だけで対応することができ、チップ埋め込み地図２２に対する変更を不要とすることができる。
【０１０９】
（第３実施形態）
次に、第３実施形態について説明する。第３実施形態では、図１０に示すように、印刷物としてチップ埋め込み書籍２４を対象としている。第３実施形態の情報処理装置１は、チップ埋め込み書籍２４の用紙に埋め込まれたチップ２４ａから読み取ったデータをもとに、近距離無線通信（例えばＢｌｕｅｔｏｏｔｈ（登録商標））によって接続される他の電子機器に対して所定の処理を要求することができる。
【０１１０】
第３実施形態では、例えば電子辞書端末２５に対して、チップ２４ａから読み取られた文字コードを送信することで、この文字コードが表す文字列についての和英辞書の検索処理の実行を要求できるものとする。チップ埋め込み書籍２４には、用紙に印刷された文字列（例えば、単語、熟語、欄外の注記など）の所定位置にチップ２４ａが埋め込まれており、このチップ２４ａに印刷された文字列の文字コード（列）が記録されている。
【０１１１】
なお、電子辞書端末２５は、例えば電子辞書として構成された機器であり、情報処理装置１との通信が可能な機能が設けられているものとする。
【０１１２】
次に、第３実施形態における情報処理装置１と電子辞書端末２５の動作について、図１１に示すフローチャートを参照しながら説明する。図１１（ａ）は情報処理装置１、図１１（ｂ）は、電子辞書端末２５の動作を説明するためのフローチャートである。
【０１１３】
まず、利用者は、チップ埋め込み書籍２４の紙面に印刷された言葉（英単語）の訳を調べるために、情報処理装置１のチップ読取部１８を該当する単語が印刷されている位置に合わせてデータの読み取りを実行させる。
【０１１４】
ＣＰＵ１０は、チップ読取部１８により読み取られたデータ、ここでは文字コード（列）をＲＡＭ１６に格納すると共に、通信制御部１５を通じて近距離無線通信により電子辞書端末２５に送信し、同文字コード（列）に対する辞書検索処理の実行を要求する（ステップＤ１，Ｄ２）。
【０１１５】
一方、電子辞書端末２５は、情報処理装置１からの辞書検索要求と共に検索処理の対象とするデータ（文字コード（列））を受信すると（ステップＥ１、Ｙｅｓ）、この受信したデータをもとに和英辞書（データベース）を検索し、このデータに該当する訳語のデータを取得する（ステップＥ２）。
【０１１６】
電子辞書端末２５は、この辞書検索処理によって得られた訳語のデータを、例えば表示装置において表示させると共に、情報処理装置１に対して送信する（ステップＥ３，Ｅ４）。
【０１１７】
情報処理装置１のＣＰＵ１０は、通信制御部１５により電子辞書端末２５からデータを受信すると（ステップＤ３）、この受信した訳語のデータをＲＡＭ１６に記録すると共に、この訳語のデータを表示部１３において表示させる（ステップＤ５）。
【０１１８】
以下、処理の終了が指示されるまで（ステップＤ６、Ｙｅｓ）、ＣＰＵ１０は、チップ読取部１８によりチップ２４ａから読み取られたデータについての検索要求を電子辞書端末２５に送信し、その検索結果を受信して出力することができる（ステップＤ１〜Ｄ５）。
【０１１９】
図１０には、チップ埋め込み書籍２４の紙面に印刷された「ｒｅｆｏｒｍ」の単語の位置に埋め込まれたチップ２４ａから、この単語の文字コード列を取得し、電子辞書端末２５に対して検索要求をした場合の表示画面例を示している。この場合、電子辞書端末２５の表示画面と情報処理装置１の表示画面のそれぞれにおいて、辞書検索結果とする訳語に関するデータ、例えば「（社会的制度・事態などを）改正する、改革する…」が表示されている。
【０１２０】
このようにして、情報処理装置１は、チップ埋め込み書籍２４（用紙）に埋め込まれたチップ２４ａから読み取られた単語等を表すデータをもとに、電子辞書端末２５に対して辞書検索を実行させ、その検索結果を受信して出力させることができる。これにより、情報処理装置１に辞書データ（データベース）や辞書検索のアプリケーションなどを搭載しておく必要がない。従って、辞書データを変更する場合であっても、情報処理装置１における変更が不要であるので容易に対応することができる。また、チップ埋め込み書籍２４に情報処理装置１を近接させて、チップ２４ａからデータを読み取るだけで辞書検索を実行できるので操作が非常に簡単となる。
【０１２１】
なお、前述した説明では、１つの単語に対応する文字コード列を読み取ることができるものとして説明しているが、複数のチップ２４ａから同時にデータが読み取られる場合には、この複数のデータの内容を表示部１３において表示させ、利用者により検索対象とする文字列を選択させるようにしても良い。また、１つのチップ２４ａに１つの単語のデータを記録しておくだけでなく、チップ２４ａが埋め込まれた周辺に印刷された複数の文字列（単語など）のデータが記録されていても良い。
【０１２２】
また、電子辞書端末２５は、和英辞書を検索するだけでなく、各種の辞書を対象とすることができる。電子辞書端末２５は、情報処理装置１から受信されるデータに応じて辞書を切り替えて、辞書検索を実行するようにしても良い。また、辞書に限るものでなく、辞典や用語集、解説書、法令集など、各種情報が格納されたデータベースを検索対象とすることができる。
【０１２３】
また、前述した説明では、情報処理装置１との通信を行なう他の電子機器として電子辞書端末２５を例にしているが、例えばパーソナルコンピュータやＰＤＡなどの情報機器、テレビなどの家電製品などの他の機器を対象とすることもできる。
【０１２４】
また、電子辞書端末２５のようにスタンドアロン型の電子機器だけでなく、通信網（有線、無線含む）を介して他の機器と接続可能な他の電子機器に対して、情報処理装置１から処理要求をするようにしても良い。
【０１２５】
例えば、チップ埋め込み書籍２４に代えて通信販売に用いられるカタログを対象とし、情報処理装置１は、カタログに埋め込まれたチップ２４ａから商品コードを読み取り、この商品コードの商品の発注を他の電子機器、例えばパーソナルコンピュータや携帯電話機などを介して通信回線を介して送信することができる。ここでは、例えば電子メールにより送信したり、インターネットを介してＷｅｂページにアクセスして送信する。なお、発注先のアドレス（接続先データ）、例えば電子メールアドレス、ＵＲＬなどは、カタログに埋め込まれたチップ２４ａに記録されているものとする。情報処理装置１は、この発注先のアドレスをチップ２４ａから取り込み、このアドレスが示す受注元に対する発注処理の要求を他の機器に送信して、前述した処理を実行させる。
【０１２６】
同様にして、チップ埋め込み書籍２４に埋め込まれたチップ２４ａに、著者の他の作品に関するデータを記録しておくことで、携帯電話機などの他の機器を通じて、このデータを元にした商品の発注依頼を送信することができる。
【０１２７】
（第４実施形態）
次に、第４実施形態について説明する。第４実施形態では、図１２に示すようなバインダ型情報処理装置３０によって、印刷物に埋め込まれたチップからデータを読み取る構成としている。第５実施形態における印刷物としては、チップ埋め込み書類３２を対象としている。チップ埋め込み書類３２は、紙媒体による書類に複数のチップ３２ａが埋め込まれた構成をしている。チップ埋め込み書類３２に埋め込まれたチップ３２ａには、例えば各書類を識別する識別データ（ＩＤ）や、書類の作成者、作成日付、書類の名称、書類に印刷（あるいは記入）された内容に関するデータなどが記録されている。
【０１２８】
バインダ型情報処理装置３０は、一般的な書類を複数枚綴じることができる機構を有している。また、バインダ型情報処理装置３０は、図１に示すＣＰＵ１０、入力部１２、通信制御部１５、ＲＡＭ１６、及び記録装置１７が実装される本体部３０ａと、表示部１３、タッチパネル１４、及び音声出力部１９が実装される出力部３０ｂとが背表紙面に実装され、複数のチップ読み取り部３０ｃが表紙面及び裏表紙面に実装され、それぞれが電気的に接続されている。チップ読み取り部３０ｃは、バインダ型情報処理装置３０にチップ埋め込み書類３２が綴じられることによって、チップ埋め込み書類３２に埋め込まれたチップ３２ａと近接されデータの読み取りが可能となる。複数のチップ読み取り部３０ｃは、例えばチップ埋め込み書類３２に埋め込まれた複数のチップ３２ａのうち特定の位置（例えば左上隅）のチップ３２ａのみからデータを読み取るためのものと、その他の複数のチップ３２ａからデータを読み取るためのものに割り当て、それぞれ異なるデータ読み取り可能範囲を設定している。
【０１２９】
また、バインダ型情報処理装置３０は、本体部３０ａに実装された通信制御部１５により、他の電子機器、例えば第１〜第３実施形態において説明した情報処理装置１との間で、近距離無線通信によって相互にデータを送受信することができる。
【０１３０】
さらに、本体部３０ａの表面部に太陽電池パネル及び充電池（図示せず）を実装することで、この太陽電池パネルにより発生される電気により、バインダ型情報処理装置３０の動作を継続的に動作させることができる。従って、チップ埋め込み書類３２が多数綴じられたバインダ型情報処理装置３０を書棚に長期間入れたままで、情報処理装置１などの電子機器により無線通信を通じて、バインダ型情報処理装置３０が管理するチップ埋め込み書類３２に関するデータを任意に取得することができる。なお、太陽電池パネルに限らず、他の電源供給手段が設けられていても良い。
【０１３１】
次に、第４実施形態におけるバインダ型情報処理装置３０の動作について、図１３に示すフローチャートを参照しながら説明する。
【０１３２】
バインダ型情報処理装置３０は、新しい書類が追加されたかを監視している（ステップＦ１）。例えば、書類を綴じる機構が操作された場合、本体部３０ａのＣＰＵ１０は、これを検知して、チップ読み取り部３０ｃによってチップ３２ａからデータの読み取りを実行させる。ここでは、バインダ型情報処理装置３０に綴じられている全ての書類の識別データ（ＩＤ）を読み取る。例えば、チップ埋め込み書類３２の識別データは、チップ埋め込み書類３２の所定の位置、例えば左上隅の位置に埋め込まれたチップ３２ａに記録されているものとする。
【０１３３】
ＣＰＵ１０は、チップ読み取り部３０ｃにより全てのチップ埋め込み書類３２から読み取った識別データより、新たな識別データがあることが判別できると、この新規のチップ埋め込み書類３２のチップ３２ａからデータを読み取る（ステップＦ２）。
【０１３４】
ＣＰＵ１０は、新規のチップ埋め込み書類３２から読み取ったデータをもとに、綴じられた書類を管理するための書類データを更新する（ステップＦ３）。ここでは、例えばバインダ型情報処理装置３０に綴じられた書類の枚数を記録している枚数カウンタ（ＲＡＭ１６に記録される）を更新すると共に、新規のチップ埋め込み書類３２に対して索引データを付加する（ステップＦ３）。なお、索引データは、チップ埋め込み書類３２のチップ３２ａから読み出し、この読み出されたデータを用いて付加されるものとする。
【０１３５】
ＣＰＵ１０は、新たに追加されたチップ埋め込み書類３２の索引データを含む更新された書類データを、ＲＡＭ１６あるいは記録装置１７に格納しておく（ステップＦ４）。
【０１３６】
こうして、バインダ型情報処理装置３０は、綴じられた複数のチップ埋め込み書類３２について、管理データを作成して記録しておくことができる。
【０１３７】
なお、前述した説明では、チップ埋め込み書類３２が追加された場合についてのみ説明しているが、綴じられていたチップ埋め込み書類３２がバインダ型情報処理装置３０から取り外された場合にも同様にして書類データを更新し、この更新されたデータを格納しておくものとする。
【０１３８】
また、バインダ型情報処理装置３０は、通信制御部１５を通じて、例えば情報処理装置１から書類データの送信要求を受信すると（ステップＦ５）、記録装置１７あるいはＲＡＭ１６に格納されている管理データを、要求元の情報処理装置１に対して送信する（ステップＦ６）。
【０１３９】
情報処理装置１では、バインダ型情報処理装置３０から受信した管理データをもとに、書類枚数や、各書類の索引の一覧などを表示する。
【０１４０】
これにより、情報処理装置１の使用者は、バインダ型情報処理装置３０に綴じられた各チップ埋め込み書類３２を直に確認することなく、バインダ型情報処理装置３０から受信した管理データから、綴じられている書類の枚数を把握し、各書類の内容を索引から知ることができる。
【０１４１】
なお、前述した説明では、バインダ型情報処理装置３０は、綴じられたチップ埋め込み書類３２の枚数と索引を管理するものとして説明したが、これは一例であって、チップ埋め込み書類３２に埋め込まれたチップ３２ａに各種のデータを記録しておけば、そのデータに応じた様々な情報を管理しておくことができる。
【０１４２】
また、バインダ型情報処理装置３０により管理されている情報は、情報処理装置１において受信して出力するだけでなく、出力部３０ｂに実装される表示部１３（例えば、液晶ディスプレイ）において、常時、表示しておくことが可能である。
【０１４３】
（第５実施形態）
次に、第５実施形態について説明する。 
第５実施形態では、前述した第１〜第４実施形態において処理対象としていた印刷物を作成するためのチップ貼り付けプリンタ装置４０について説明する。
【０１４４】
図１４は、第５実施形態におけるチップ貼り付けプリンタ装置４０の構成を示すブロック図、図１５は、チップ貼り付けプリンタ装置４０における印刷物（印刷）の搬送系を搬送方向と垂直な方向から見た構成を示す図である。
【０１４５】
図１４に示すように、チップ貼り付けプリンタ装置４０には、制御部４１、センサ制御部４２、通信制御部４３、記録部４４、用紙搬送制御部４５、印刷制御部４６、チップシール搬送制御部４７、チップ接着制御部４８、及びチップデータ書き込み制御部４９が設けられている。
【０１４６】
制御部４１は、チップ貼り付けプリンタ装置４０の全体の制御を司るもので、ＣＰＵや各種プログラムやデータが記録されたメモリを含んで構成される。
【０１４７】
センサ制御部４２は、チップ貼り付けプリンタ装置４０の動作状況を検出するために各所に設置されたセンサを制御する。センサは、図１５に示す各モジュールや搬送機構に実装されている。
【０１４８】
通信制御部４３は、チップ貼り付けプリンタ装置４０を制御するパーソナルコンピュータなどの情報処理装置との間の通信を制御する。通信制御部４３、制御部４１の制御のもとで、情報処理装置から印刷対象とする印刷データの他、用紙に埋め込まれる（貼り付けられる）チップに対して書き込む書き込みデータ、チップの用紙に対する貼り付け位置を示す用紙位置データなどが含まれる。
【０１４９】
記録部４４は、通信制御部４３を通じて情報処理装置などから受信される各種データなどを記録する。
【０１５０】
用紙搬送制御部４５は、制御部４１の制御のもとで、用紙搬送機構５３を駆動し、印刷及びチップの貼り付けの対象となる印刷用紙５０を搬送路上で搬送させる。
【０１５１】
印刷制御部４６は、制御部４１の制御のもとで、トナー／印刷ヘッドモジュール５２を駆動し、印刷用紙５０に対して印刷を施す。第５実施形態のチップ貼り付けプリンタ装置４０では、印刷用紙５０の一方の面に対して印刷を施し、他方の面にチップを貼り付けるものとする（図３（ｃ）参照）。
【０１５２】
チップシール搬送制御部４７は、制御部４１の制御のもとで、チップ接着モジュール５１のチップシールロール保護フィルム剥離巻取り機構５１ａ及びチップ接着機構５１ｄを制御して、印刷用紙５０に対して貼り付けられるチップを含むチップシールを搬送させる。
【０１５３】
チップ接着制御部４８は、制御部４１の制御のもとで、チップ接着モジュール５１のチップ接着機構５１ｄによる印刷用紙５０へのチップの貼り付け動作を制御する。
【０１５４】
チップデータ書き込み制御部４９は、制御部４１の制御のもとで、チップシール搬送制御部４７及びチップ接着制御部４８により印刷用紙５０に貼り付けられたチップに対して、情報処理装置から受信された書き込みデータの書き込みを制御する。
【０１５５】
図１５に示すように、チップ貼り付けプリンタ装置４０の搬送系には、印刷用紙５０の搬送路に沿って、チップ接着モジュール５１、トナー／印刷ヘッドモジュール５２、用紙搬送機構５３、及びチップデータ書込機構５４が設けられている。
【０１５６】
チップ接着モジュール５１は、印刷用紙５０に対してチップを貼り付ける（埋め込む）ためのもので、印刷用紙５０の裏面にチップを貼り付けるために搬送路の下部に設けられている。チップ接着モジュール５１には、チップシールロール保護フィルム剥離巻取り機構５１ａ、チップシールロール５１ｂ、シール台紙巻取り機構５１ｃが設けられている。
【０１５７】
チップシールロール保護フィルム剥離巻取り機構５１ａは、チップシールロール５１ｂに巻回されたチップロール紙６０（図１６参照）の搬送に伴って、チップロール紙６０から保護フィルム６３を剥離して巻き取り収容するための機構である。チップシールロール保護フィルム剥離巻取り機構５１ａにより保護フィルム６３が剥離されることで、チップロール紙６０のチップを含んだシール６２の印刷用紙５０と対向する面が露出され、チップ接着機構５１ｄによるチップの貼り付けが可能な状態となる。
【０１５８】
チップシールロール５１ｂは、チップロール紙６０が巻回されたもので、シール台紙巻取り機構５１ｃによる巻き取り動作に伴って順次チップロール紙６０が引き出される。
【０１５９】
シール台紙巻取り機構５１ｃは、回転駆動されることでチップシールロール５１ｂからチップロール紙６０を引き出し、チップロール紙６０（シール台紙６１）をチップ接着機構５１ｄによるチップの貼り付け位置（接着部６５）上を通過するように搬送させる。
【０１６０】
トナー／印刷ヘッドモジュール５２は、印刷用紙５０に対して印刷を施すためのもので、搬送路の上部に設けられている。トナー／印刷ヘッドモジュール５２には、複数色分のトナー５２ａと、それぞれのトナー５２ａに対応する印刷ヘッド５２ｂが設けられている。
【０１６１】
用紙搬送機構５３は、印刷及びチップの貼り付けの対象となる印刷用紙５０を搬送路上で搬送させる。
【０１６２】
チップデータ書込機構５４は、チップ接着モジュール５１のチップ接着機構５１ｄによって、印刷用紙５０の下面（裏面）に貼り付けられたチップに対して、チップデータ書き込み制御部４９の制御により情報処理装置から受信された書き込みデータを書き込む。チップデータ書込機構５４は、搬送される印刷用紙５０の裏面に貼り付けられたチップと近接する位置に設けられており、電磁誘導により非接触でデータの書き込みを行なう。
【０１６３】
図１６には、チップシールロール５１ｂに巻回されたチップロール紙６０の構成を断面によって示している。
【０１６４】
チップロール紙６０は、シール台紙６１とチップを含んだシール６２と保護フィルム６３とによる三層構造になっている。チップロール紙６０は、シール台紙６１の上にチップを含んだシール６２が例えば等間隔で規則的に配置されている。チップを含んだシール６２は、シール台紙６１と反対側に加熱されることにより溶着する接着剤６２ｂが塗布されており、その上に保護フィルム６３が覆われている。
【０１６５】
図１６に示す構造では、シール部分にチップ６２ａが含まれる（挟まれる）ため、チップ６２ａを直接、印刷用紙５０に貼り付ける場合に比べてはがれにくくすることができ、またシールに印刷することができるので印刷用紙５０に対して両面印刷することもできる。
【０１６６】
図１７は、チップ接着モジュール５１の周辺拡大図を示す図である。 
チップシールロール５１ｂは、シール台紙巻取り機構５１ｃにより巻き取りが開始されることで、チップロール紙６０が、順次、チップ接着機構５１ｄによるチップの貼り付けが行われる接着部６５を通過するように搬送される。
【０１６７】
この時、チップロール紙６０の保護フィルム６３は、チップシールロール保護フィルム剥離巻取り機構５１ａによって巻き取られる。従って、シール台紙６１は、チップを含んだシール６２が露出された状態で接着部６５を通過するように搬送される。
【０１６８】
チップ接着機構５１ｄは、例えばソレノイドによる上下動を行なうヘッダ部５１ｄ１とシリンダ部５１ｄ２から構成されており、チップ接着制御部４８の制御により、接着部６５にチップを含んだシール６２が到達した時点でヘッダ部５１ｄ１を上方向に押し上げることで、シール台紙６１と共にチップを含んだシール６２を印刷用紙５０に圧接させる。ヘッダ部５１ｄ１の先端部分には、通電により加熱する加熱部が設けられている。加熱部は、シール６２を印刷用紙５０に圧接させるタイミングで加熱され、シール６２に塗布されている接着剤６２ｂを活性化させて印刷用紙５０に溶着させる。
【０１６９】
シール台紙巻取り機構５１ｃには、チップを含んだシール６２が印刷用紙５０に貼り付けられることで、シール台紙６１のみが巻き取られる。
【０１７０】
なお、チップ接着機構５１ｄは、図１７に示すヘッダ部５１ｄ１とシリンダ部５１ｄ２とによる構成の他に、モータカムや油圧によりヘッド部を押し上げる構成とすることもできる。
【０１７１】
次に、第５実施形態におけるチップ貼り付けプリンタ装置４０の動作について説明する。 
まず、チップ貼り付けプリンタ装置４０を制御する情報処理装置では、印刷用紙５０に対して印刷するための印刷データを生成する。また、印刷用紙５０に対する印刷データの内容に応じて、印刷用紙５０に対するチップの埋め込み（貼り付け）位置を示す用紙位置データとチップに対する書き込みデータの作成と編集を実行する。
【０１７２】
基本的には、印刷用紙５０に印刷される対象物（第１実施形態におけるメンテナンスポイントの回路、第２実施形態における建築物などの要所など）と、この対象物に関係する書き込みデータが生成される。また、チップの埋め込み（貼り付け）位置は、対象物が印刷される位置（あるいは近傍）に設定されるものとする。
【０１７３】
情報処理装置は、印刷データと共に用紙位置データと書き込みデータをチップ貼り付けプリンタ装置４０に送信し、印刷実行を指示する。
【０１７４】
チップ貼り付けプリンタ装置４０の制御部４１は、通信制御部４３を通じて各データを受信すると、用紙搬送制御部４５により用紙搬送機構５３を駆動して、印刷用紙５０の搬送を開始させる。また、制御部４１は、チップシール搬送制御部４７により、印刷用紙５０の搬送速度に合わせてチップロール紙６０を搬送させて、チップを含んだシール６２がチップ接着機構５１ｄ（ヘッダ部５１ｄ１）上にあるように位置決めする。
【０１７５】
印刷用紙５０の用紙位置データが示す位置が接着部６５にまで搬送されると、制御部４１は、チップ接着制御部４８によりチップ接着機構５１ｄを駆動させ、ヘッダ部５１ｄ１によりシール６２を印刷用紙５０に圧接させる。また、チップ接着機構５１ｄにより、ヘッダ部５１ｄ１の加熱部を一定時間加熱させ、シール６２に塗布された接着剤６２ｂを溶かして、チップを含んだシール６２を印刷用紙５０に溶着させる。一定時間が経過した後、チップ接着機構５１ｄによりヘッダ部５１ｄ１が押し下げられると、シール６２がシール台紙６１から剥がれ、印刷用紙５０の裏面に貼り付けられる。
【０１７６】
印刷用紙５０はさらに用紙搬送機構５３により搬送され、トナー／印刷ヘッドモジュール５２による印刷位置に到達すると、印刷制御部４６の制御によりトナー／印刷ヘッドモジュール５２が駆動されて、印刷データに応じた印刷が表面に施される。
【０１７７】
また、搬送路の下部に設けられたチップデータ書込機構５４の位置に、印刷用紙５０の裏面に貼り付けられたチップが到達すると、チップデータ書き込み制御部４９の制御によりチップデータ書込機構５４が駆動され、書き込みデータがチップに対して書き込まれる。
【０１７８】
こうして、印刷用紙５０は、用紙搬送機構５３により搬送されながら、表面に印刷が施され、裏面にチップが貼り付けられて所定のデータが書き込まれた後に排出される。
【０１７９】
図１８には、第５実施形態におけるチップ貼り付けプリンタ装置４０により印刷が施される印刷物の具体例としてチップ埋め込み服薬指導書７０を示している。
【０１８０】
チップ埋め込み服薬指導書７０は、例えば調剤薬局店や病院の薬局などで患者に薬を出す際に、患者が誤った服用（あるいは使用）をしないように各薬についての詳細な情報を印刷すると共に、各薬についての詳細が記載された位置に応じてチップが埋め込まれて、詳細な説明を音声によって出力するための音声データやその他のデータが書き込まれたものである。
【０１８１】
チップ埋め込み服薬指導書７０には、複数の薬ごとに、例えば薬の外観を表す画像の他、薬の特徴、服用方法、注意事項などの文章が詳細情報として印刷されている。この薬毎の詳細情報の印刷位置に合わせてチップ７０ａが埋め込まれており、それぞれの薬についてのデータが書き込まれている。
【０１８２】
例えば、調剤薬局店に設置された情報処理装置において、薬の種類、服用数、服用方法などを指定することで、印刷データが生成されると共に、書き込みデータ及び用紙位置データが生成されて、チップ貼り付けプリンタ装置４０に送信される。チップ貼り付けプリンタ装置４０は、前述したように、各データに応じて印刷を実行する共に、所定の位置にチップ７２ａを貼り付けてデータの書き込みを実行する。
【０１８３】
チップ埋め込み服薬指導書７０を受け取った利用者は、例えば情報処理装置１を近接させて、チップ７０ａからデータを読み取ることで、図１８に示すように、音声により服用方法や注意事項などを出力させることができる。
【０１８４】
これにより、視力が衰えた人であっても、音声により印刷された内容を確認できるので、間違いのない服用が可能となる。
【０１８５】
なお、チップ７０ａに印刷された内容と同様のデータを記録しておくことで、このデータを読み出して表示部１３に表示させることもできる。
【０１８６】
なお、図１５に示すチップ貼り付けプリンタ装置４０の搬送系の構成では、図３（ｃ）に示すように、表面に印刷を施し、裏面にチップを貼り付ける構成としているために、チップ接着モジュール５１を搬送路の下部に設置しているが、図３（ｂ）に示すように、チップを印刷面側に貼り付ける場合には、チップ接着モジュール５１を搬送路の上部に設置すれば良い。また、チップ６２ａがシールに含まれているため両面印刷することもできる。
【０１８７】
また、チップロール紙６０では、チップを含んだシール６２が１列に配列された構成としているが、行列方向に複数のチップを含んだシール６２が配列されていても良い。この場合、チップ接着モジュール５１のチップ接着機構５１ｄは、各列に対応して複数設けられるものとする。
【０１８８】
このようにして、チップ貼り付けプリンタ装置４０では、一般的なプリンタ装置と同様にして印刷用紙５０に対して印刷を施すのと同時に、印刷された内容に合わせた位置にチップを貼り付け、印刷内容に合わせたデータをチップに記録することができる。
【０１８９】
なお、前述した各実施形態では、印刷物とする部材として紙を用いた場合について説明しているが、例えば布、金属、樹脂などのその他の部材を用いる場合に適用することも可能である。 
また、印刷物は平面状である必要もなく、表面に印刷が施された立体構造物（例えば地球儀などの球体、直方体など）であっても良い。
【０１９０】
さらに、印刷物に埋め込まれた複数のチップから一括してデータの読み取りが行われないように、すなわち特定のチップからのみデータの読み取りができるように、例えばチップ読取部１８は、電界強度が最も強いチップからのみデータを読み取るようにしても良い。また、チップ読取部１８は、特定のチップからのみデータの読み取りができるように、指向性を持つ構成とすることもできる。
【０１９１】
さらに、上記実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【符号の説明】
【０１９２】
１…情報処理装置、１０…ＣＰＵ、１２…入力部、１３…表示部、１４…タッチパネル、１５…通信制御部、１６…ＲＡＭ、１７…記録装置、１８…チップ読取部、１９…音声出力部、２０…チップ埋め込み回路図、２０ａ…チップ、２０ｂ…用紙、２０ｃ…印刷層、２２…チップ埋め込み地図、２４…チップ埋め込み書籍、２５…電子辞書端末、３０…バインダ型情報処理装置、３０ａ…本体部、３０ｂ…出力部、３０ｃ…チップ読み取り部、３２…チップ埋め込み書類、３２ａ…チップ、４０…チップ貼り付けプリンタ装置、４１…制御部、４２…センサ制御部、４３…通信制御部、４４…記録部、４５…用紙搬送制御部、４６…印刷制御部、４７…チップシール搬送制御部、４８…チップ接着制御部、４９…チップデータ書き込み制御部、５０…印刷用紙、５１…チップ接着モジュール、５１ａ…チップシールロール保護フィルム剥離巻取り機構、５１ｂ…チップシールロール、５１ｃ…シール台紙巻取り機構、５１ｄ…チップ接着機構、５１ｄ１…ヘッダ部、５１ｄ２…シリンダ部、５２…トナー／印刷ヘッドモジュール、５２ａ…トナー、５２ｂ…印刷ヘッド、５３…用紙搬送機構、５４…チップデータ書込機構、６０…チップロール紙、６１…シール台紙、６２…チップを含んだシール、６２ａ…チップ、６２ｂ…接着剤、６３…保護フィルム、６５…接着部、７０…チップ埋め込み服薬指導書。
【図１】
2010176687.tif 000003
【図２】
2010176687.tif 000004
【図３】
2010176687.tif 000005
【図４】
2010176687.tif 000006
【図５】
2010176687.tif 000007
【図６】
2010176687.tif 000008
【図７】
2010176687.tif 000009
【図８】
2010176687.tif 000010
【図９】
2010176687.tif 000011
【図１０】
2010176687.tif 000012
【図１１】
2010176687.tif 000013
【図１２】
2010176687.tif 000014
【図１３】
2010176687.tif 000015
【図１４】
2010176687.tif 000016
【図１５】
2010176687.tif 000017
【図１６】
2010176687.tif 000018
【図１７】
2010176687.tif 000019
【図１８】
2010176687.tif 000020